(57)【要約】【課題】コールセットアップ要求に対して応答が行われない場合に、ハンズフリー通話装置側から自動的にコールセットアップを終了させ、ハンズフリー通話システムの動作が不安定になることを防止する。【解決手段】通信ユニットからのリングコマンドの送信を繰り返しても、ユーザが応答しない場合、携帯電話機４１は、留守番電話サービス等の他の付加機能の実行に移行する。この場合、通信ユニット４０は、ハンズフリー通話装置４３に対して、リングコマンドの送信を行うことができなくなり、リングコマンドの送信の周期性が失われることになる。ハンズフリー通話装置４３は、リングコマンド受領の繰り返し周期の周期性が失われたことを検出すると、前記携帯電話機側の通信ユニット４０に前記セットアップを終了させるリジェクトの指示を送信する。【選択図】      図２
2006352248.tif 000002
【特許請求の範囲】
【請求項１】
携帯電話機とハンズフリー通話装置との間で無線による通信を行う無線通信方法において、前記携帯電話機は、前記ハンズフリー通話装置との間で無線による通信を行う通信ユニットを備え、該通信ユニットは、携帯電話機に着信があったとき、前記ハンズフリー通話装置にセットアップ信号を送信すると共に、ハンズフリー装置での応答が得られるまで繰り返し呼び出し信号を送信し、前記ハンズフリー通話装置は、ハンズフリー装置での呼び出し信号に対する応答が得られず、呼び出し信号の繰り返し周期の周期性が失われたとき、前記携帯電話機側の通信ユニットに前記セットアップを終了させる指示を送信することを特徴とする無線通信方法。
【請求項２】
前記ハンズフリー通話装置及び通信ユニットは、ブルートゥースモジュールにより構成されることを特徴とする請求項１記載の無線通信方法。
【請求項３】
携帯電話機とハンズフリー通話装置との間で無線による通信を行うハンズフリー通話システムにおいて、前記携帯電話機は、前記ハンズフリー通話装置との間で無線による通信を行う通信ユニットを備え、該通信ユニットは、携帯電話機に着信があったとき、前記ハンズフリー通話装置にセットアップ信号を送信すると共に、ハンズフリー装置での応答が得られるまで繰り返し呼び出し信号を送信する手段を備え、前記ハンズフリー通話装置は、ハンズフリー装置での呼び出し信号に対する応答が得られず、呼び出し信号の繰り返し周期の周期性が失われたとき、前記携帯電話機側の通信ユニットに前記セットアップを終了させる指示を送信する手段を備えることを特徴とするハンズフリー通話システム。
【請求項４】
前記ハンズフリー通話装置及び通信ユニットは、ブルートゥースモジュールにより構成されることを特徴とする請求項３記載のハンズフリー通話システム。
【発明の詳細な説明】
【技術分野】
【０００１】
本発明は、無線通信方法及びハンズフリー通話システムに係り、特に、携帯電話機とハンズフリー通話装置とを無線により接続している状態で、呼び出しに対してハンズフリー通話装置が応答せず、携帯電話機が留守番電話サービス等の他のサービスに移行した場合にハンズフリー通話装置側からセットアップを終了させることを可能にした無線通信方法及びハンズフリー通話システムに関する。
【背景技術】
【０００２】
近年、携帯電話の普及により、車の運転中に携帯電話機による通話を行わなければならない場合が増加している。しかし、携帯電話機を手に持って車の運転中に通話を行うことは、危険を伴う行為であり、どうしても車の運転中に通話を行わなければならない場合、両手を通話のためには使用しないでよいハンズフリー通話装置と呼ばれる機器が利用されている。
【０００３】
そして、携帯電話機とハンズフリー通話装置とを無線により接続したハンズフリー通話システムを構成する場合、ハンズフリー通話装置をブルートゥースモジュールで構成すると共に、携帯電話機にブルートゥースモジュールにより構成した通信ユニットを接続し、この通信ユニットとハンズフリー通話装置との間で無線通信を行うように構成するのが一般的である。ブルートゥースモジュールは、その規格として、ブルートゥース  ハンズフリー  プロファイルと呼ばれる仕様が用意されており、前述したハンズフリー通話システムは、この仕様に則り作成したソフトウェアを利用して構成することができる。
【０００４】
図３は一般的なハンズフリー通話装置を用いるハンズフリー通話システムの構成例を示すブロック図である。図３において、４０は通信ユニット、４１、４２は携帯電話機、４３はハンズフリー通話装置、４４はスピーカ、４５はマイクである。
【０００５】
ハンズフリー通話システムは、一般に、ハンズフリー通話を行うユーザ、例えば、車を運転するユーザが使用するハンズフリー通話装置４３と、ユーザが持つ携帯電話機４１とにより構成される。ハンズフリー通話装置４３には、ブルートゥースモジュールにより構成される通信ユニット４６が内蔵もしくはケーブル等により接続される。通信ユニット４６を構成するブルートゥースモジュールは、ハンズフリーとしてのブルートゥースＨＦと、ハンズフリー側インタフェースとしてのハンズフリー側ＨＭＩとの機能に分けて使用される。携帯電話機４１には、ブルートゥースモジュールにより構成される通信ユニット４０が内蔵もしくはケーブル等により接続される。通信ユニット４０を構成するブルートゥースユニットは、オーディオゲートウェイとしてのブルートゥースＡＧと、携帯電話機側インタフェースとしての携帯電話機側ＨＭＩとの機能に分けて使用される。そして、ユーザは、ハンズフリー通話装置４３に接続されているスピーカ４４、マイク４５を使用して、携帯電話用通信網等の公衆回線を介して接続された相手側の携帯電話機４２あるいは有線電話機等との通話を行う。
【０００６】
前述したように構成されるハンズフリー通話システムにおいて、公衆回線を介した携帯電話機４２等からの通話要求があると、携帯電話機４１に接続されている通信ユニット４０を構成するブルートゥースモジュールは、ハンズフリー通話装置４３を構成するブルートゥースモジュールにコールセットアップの要求を行い、通話要求があったことをユーザに知らせる。ユーザが、ハンズフリー通話装置４３により、この要求に応答すれば、ユーザは、通話を開始することができる。
【０００７】
ところで、携帯電話機には、その種類により、コールセットアップに対する応答が一定時間得られない場合、「留守番電話サービス」等の付加機能に移行するものが存在する。そして、前述した携帯電話機４１が前述のような付加機能を有するものである場合で、既存の通話が存在した状態で、携帯電話機４１に３者通話等の要求があって、これによる通信ユニット４０からハンズフリー通話装置４３に対するコールセットアップ要求に対してユーザによる応答操作が行われずに携帯電話機４１が付加機能に移行した場合、通信ユニット４０とハンズフリー通話装置４３との間で状態の不整合が起こり易くなる。このため、携帯電話機４１が付加機能を処理している間、コールセットアップの動作が終了せず、システムの動作が不安定になってしまう。
【０００８】
しかし、コールセットアップの終了は、携帯電話機４１からの要求、あるいは、ユーザによるハンズフリー通話装置４３の操作により行われるているのが一般的である。また、コールセットアップの終了をタイムアウト機能を利用して行おうとする場合、そのカウント開始のタイミングをどの時点にするかが問題となる。
【０００９】
なお、前述したような携帯電話機とハンズフリー通話装置とを無線により接続して構成されたハンズフリー通話システムに関する従来技術として、例えば、特許文献１等に記載された技術が知られている。
【特許文献１】特開２００２−１１８８７８号公報
【発明の開示】
【発明が解決しようとする課題】
【００１０】
前述したように、ブルートゥースモジュールを利用して構成したハンズフリー通話システムにおけるコールセットアップの終了は、ユーザによるハンズフリー通話装置４３の操作により行われるのが一般的であるが、ユーザが、ハンズフリー通話装置４３により、このコールセットアップへの応答を行うことができない場合の多くは、ユーザがハンズフリー通話装置の操作を行うことができない状況ある場合である。
【００１１】
このため、従来技術の欄で説明したように、従来のブルートゥースモジュールを利用して構成したハンズフリー通話システムは、コールセットアップ要求に対して応答が行われずに携帯電話機が付加機能に移行した場合、通信ユニットとハンズフリー通話装置との間で状態の不整合が起こり易くなり、携帯電話機が付加機能を処理している間、コールセットアップの動作が終了せず、システムの動作が不安定になってしまうという問題点を生じさせる。
【００１２】
本発明の目的は、前述した従来技術の問題点を解決し、コールセットアップ要求に対してユーザによる応答操作が行われない場合に、ハンズフリー通話装置側から自動的にコールセットアップを終了させることを可能にし、ハンズフリー通話システムの動作が不安定になることを防止することができるハンズフリー通話装置と携帯電話機側の通信ユニットとの間での無線通信方法及びハンズフリー通話システムを提供することにある。
【課題を解決するための手段】
【００１３】
本発明によれば前記目的は、携帯電話機とハンズフリー通話装置との間で無線による通信を行う無線通信方法において、前記携帯電話機は、前記ハンズフリー通話装置との間で無線による通信を行う通信ユニットを備え、該通信ユニットは、携帯電話機に着信があったとき、前記ハンズフリー通話装置にセットアップ信号を送信すると共に、ハンズフリー装置での応答が得られるまで繰り返し呼び出し信号を送信し、前記ハンズフリー通話装置は、ハンズフリー装置での呼び出し信号に対する応答が得られず、呼び出し信号の繰り返し周期の周期性が失われたとき、前記携帯電話機側の通信ユニットに前記セットアップを終了させる指示を送信することにより達成される。
【００１４】
また、前記目的は、前述の無線通信方法において、前記ハンズフリー通話装置及び通信ユニットが、ブルートゥースモジュールにより構成されることにより達成される。
【００１５】
また、前記目的は、携帯電話機とハンズフリー通話装置との間で無線による通信を行うハンズフリー通話システムにおいて、前記携帯電話機は、前記ハンズフリー通話装置との間で無線による通信を行う通信ユニットを備え、該通信ユニットは、携帯電話機に着信があったとき、前記ハンズフリー通話装置にセットアップ信号を送信すると共に、ハンズフリー装置での応答が得られるまで繰り返し呼び出し信号を送信する手段を備え、前記ハンズフリー通話装置は、ハンズフリー装置での呼び出し信号に対する応答が得られず、呼び出し信号の繰り返し周期の周期性が失われたとき、前記携帯電話機側の通信ユニットに前記セットアップを終了させる指示を送信する手段を備えることにより達成される。
【００１６】
また、前記目的は、前述のハンズフリー通話システムにおいて、前記ハンズフリー通話装置及び通信ユニットが、ブルートゥースモジュールにより構成されることにより達成される。
【発明の効果】
【００１７】
本発明によれば、コールセットアップ要求に対して応答が行われない場合に、ハンズフリー通話装置側から自動的にコールセットアップを終了させることができるので、ハンズフリー通話システムの動作が不安定になることを防止することができる。
【発明を実施するための最良の形態】
【００１８】
以下、本発明による無線通信方法及びハンズフリー通話システムの実施形態を図面により詳細に説明する。
【００１９】
図１は本発明の一実施形態によるハンズフリー通話システムにおいて、ハンズフリー通話装置４３を介して正常に通信が可能になるまでの動作を説明するシーケンスチャートであり、まず、これについて説明する。なお、図１に示すシーケンスは、公知のものである。また、本発明の実施形態によるハンズフリー通話システムは、図３により説明したものと同様に構成されていてよい。
【００２０】
（１）いま、ハンズフリー通話装置４３を構成するブルートゥースモジュールのブルートゥースＨＦと、携帯電話機４１に接続された通信ユニット４０を構成するブルートゥースユニットのブルートゥースＡＧが無線により接続された状態で、携帯電話機４１に公衆回線を介して着信があったものとする（シーケンス１０１）。
【００２１】
（２）携帯電話機４１に着信があると、通信ユニット４０を構成するブルートゥースユニットの携帯電話側ＭＨＩは、携帯電話機４１に着信があったことを検知し、ブルートゥースＡＧは、ハンズフリー通話装置４３に対して、通話要求があったことをコールセットアップコマンドを送信して通知すると共に、呼び出し信号としてのリングコマンドを送信する（シーケンス１０２、１０３）。
【００２２】
（３）ハンズフリー通話装置４３を構成するブルートゥースモジュールのブルートゥースＨＦは、呼び出し信号としてのリングコマンドを受信すると、ハンズフリー側ＨＭＩにその旨を通知すると共に、リングトーン信号を送信する（シーケンス１０４、１０５）。
【００２３】
（４）ユーザが応答しない場合、通信ユニット４０のブルートゥースＡＧは、ハンズフリー通話装置４３に対して、再度、呼び出し信号としてのリングコマンドを送信する。これを受信したハンズフリー通話装置４３のブルートゥースＨＦは、前述と同様に、その旨をハンズフリー側ＨＭＩに通知すると共に、リングトーン信号を送信する（シーケンス１０６〜１０８）。
【００２４】
前述において、ユーザが応答しない場合のリングコマンドの送信は、ユーザが応答するまで、一定の周期で繰り返し行われる。
【００２５】
（５）リングトーン信号による呼び出しにユーザが応答すると、ハンズフリー通話装置４３のハンズフリー側ＨＭＩは、この応答を検出してブルートゥースＨＦに通知する。ブルートゥースＨＦは、通信ユニット４０に対してユーザの応答を知らせ、通信ユニット４０ブルートゥースＡＧは、その応答に対する確認をハンズフリー通話装置４３のブルートゥースＨＦに送信する（シーケンス１０９〜１１１）。
【００２６】
（６）その後、通信ユニット４０のブルートゥースＡＧは、携帯電話側ＨＦＩ、携帯電話機４１を介して公衆回線側に接続設定の完了を通知すると共に、ハンズフリー通話装置４３のブルートゥースＨＦに対して、通話要求に対する接続設定の完了を、コールコマンド及びコールセットアップコマンドを送信して通知する（シーケンス１１２〜１１４）。
【００２７】
（７）コールセットアップコマンドによる通話要求に対する接続設定の完了の通知を受けたハンズフリー通話装置４３のブルートゥースＨＦは、接続完了をハンズフリー側ＭＨＩに通知し、その後、ユーザは、ハンズフリー通話装置４３を利用して、通信ユニット４０、携帯電話機４１を介して相手側の携帯電話機４２との間での音声による通信を行うことが可能となる（シーケンス１１５、１１６）。
【００２８】
図２は本発明の一実施形態によるハンズフリー通話システムにおいて、ユーザが接続要求に応答することができずに、携帯電話機が付加機能に移行した場合の動作を説明するシーケンスチャートであり、次に、これについて説明する。なお、図２におけるシーケンス１０１〜１０８での処理は、図１で説明したと同一であるのでここでの説明を省略する。
【００２９】
（１）シーケンス１０３〜１０８によるリングコマンドの送信の繰り返しの途中で、ユーザが応答しない場合、携帯電話機４１は、タイムオーバの検出等により、例えば、留守番電話サービス等の他の付加機能の実行に移行することがあり、この場合、通信ユニット４０のブルートゥースＡＧは、ハンズフリー通話装置４３に対して、リングコマンドの送信を行うことができなくなり、リングコマンドの送信の周期性が失われることになる。ハンズフリー通話装置４３のブルートゥースＨＦは、リングコマンド受領の繰り返し周期の周期性が失われたことを検出すると、前記携帯電話機側の通信ユニット４０のブルートゥースＡＧに前記セットアップを終了させるリジェクトの指示を送信する（シーケンス２０１）。
【００３０】
（２）通信ユニット４０のブルートゥースＡＧは、ハンズフリー通話装置４３のブルートゥースＨＦからのリジェクトの指示を受信すると、ハンズフリー通話装置４３のブルートゥースＨＦに対して、通話要求に対する接続放棄をコールセットアップコマンドを送信して通知し、ハンズフリー通話装置４３のブルートゥースＡＧは、接続要求の終了をハンズフリー側ＨＭＩに出力する（シーケンス２０２、２０３）。
【００３１】
前述したように、本発明の実施形態によれば、着信に対する接続要求にユーザが応答せず、携帯電話機４１が、例えば、留守番電話サービス等の他の付加機能の実行に移行して、通信ユニット４０が、ハンズフリー通話装置４３に対して、リングコマンドの送信を行うことができなくなり、リングコマンドの送信の周期性が失われたような場合、ハンズフリー通話装置４３が通信ユニット４０に対してセットアップを終了させるリジェクトの指示を行っているので、ハンズフリー通話システムの動作が不安定になることを防止することができる。
【図面の簡単な説明】
【００３２】
【図１】本発明の一実施形態によるハンズフリー通話システムにおいて、ハンズフリー通話装置を介して正常に通信が可能になるまでの動作を説明するシーケンスチャートである。
【図２】本発明の一実施形態によるハンズフリー通話システムにおいて、ユーザが接続要求に応答することができずに、携帯電話機が付加機能に移行した場合の動作を説明するシーケンスチャートである。
【図３】一般的なハンズフリー通話装置を用いるハンズフリー通話システムの構成例を示すブロック図である。
【符号の説明】
【００３３】
４０、４６  通信ユニット
４１、４２  携帯電話機
４３  ハンズフリー通話装置
４４  スピーカ
４５  マイク
【図１】
2006352248.tif 000003
【図２】
2006352248.tif 000004
【図３】
2006352248.tif 000005